(57)【要約】【課題】施工性がよく施工後の見栄えもよい壁パネルの結合構造及び壁パネルの結合方法を提供する。【解決手段】左右壁パネル１１，１２の裏面に縦方向に延びるフレーム１３，１４が取付けられフレーム１３，１４同士は連結され、両パネル１１，１２間の隙間Ｍを目地材１６で塞ぐ構造で、左側壁パネル１１よりも左側フレーム１３の方が右側に突出し、右側フレーム１４よりも右側壁パネル１２の方が左側に突出し、両パネル１１，１２の裏面側角部を切り欠いて凹溝１７，１８を形成し、目地材１６は、左側フレーム１３に取付けられ、左側フレーム１３の右側端部から表面側左側に延びて凹溝１７にいたる延長部１６Ｃを有する取付基部１６Ａと、延長部１６Ｃの表面側に一体成形され凹溝１７に収納され、両壁パネル１１，１２間の隙間Ｍを壁パネル１１，１２の裏面側から塞ぐシール部１６Ｂを有する。【選択図】図１
2018193694.tif 000002
【特許請求の範囲】
【請求項１】
建築物を構成する左右壁パネルの裏面に縦方向に延びるフレームがそれぞれ取付けられるとともに前記フレーム同士は連結用具によって連結され、前記左右壁パネル間の隙間を目地材で塞ぐ壁パネルの結合構造であって、
前記左側壁パネル側では、その左側壁パネルよりも左側壁パネルに取付けられた左側フレームの方が右側に突出し、
前記右側壁パネル側では、その右側壁パネルに取付けられた右側フレームよりも右側壁パネルの方が左側に突出し、
前記左右壁パネルの互いに隣接する裏面側角部を表面側に達することなく切り欠いて凹溝を形成し、
前記目地材は、前記左側フレームに取付けられ、左側フレームの右側端部から表面側左側に延びて前記凹溝にいたる延長部を有する取付基部と、その延長部の表面側に一体成形され前記凹溝に収納され、前記左右壁パネル間の隙間を壁パネルの裏面側から塞ぐシール部を有することを特徴とする壁パネルの結合構造。
【請求項２】
前記目地材のシール部はその全体が、前記左側フレームの右側端部よりも左側に配置するように、前記凹溝に収納されることを特徴とする請求項１に記載の壁パネルの結合構造。
【請求項３】
前記凹溝は、前記壁パネルの裏面側角度を略四半円状に切り欠いて形成されることを特徴とする請求項１又は２に記載の壁パネルの結合構造。
【請求項４】
前記目地材のシール部は、前記左右壁パネル間の隙間から前記凹溝にかけて空間が広がる部位において、前記隙間の端部に形成される左右の角部に局所的に弾接することを特徴とする請求項３に記載の壁パネルの結合構造。
【請求項５】
前記連結用具は、前記左側フレーム及び右側フレームが表面側から裏面側に向って嵌め込まれ、両フレームの側面及び裏面を覆った状態で保持する断面略コ字状部を有することを特徴とする請求項１乃至４のうちいずれか一つに記載の壁パネルの結合構造。
【請求項６】
建築物を構成する左右壁パネルの裏面に縦方向に延びるフレームがそれぞれ取付けられるとともに前記フレーム同士は連結用具によって連結され、前記左右壁パネル間の隙間を目地材で塞ぐ壁パネルの結合方法であって、
前記左側壁パネル側では、その左側壁パネルよりも左側壁パネルに取付けられた左側フレームの方が右側に突出し、
前記右側壁パネル側では、その右側壁パネルに取付けられた右側フレームよりも右側壁パネルの方が左側に突出し、
前記左右壁パネルの互いに隣接する裏面側角部を表面側に達することなく切り欠いて凹溝を形成し、
前記目地材は、前記左側フレームに取付けられ、左側フレームの右側端部から表面側左側に延びて前記凹溝にいたる延長部を有する取付基部と、その延長部の表面側に一体成形され前記凹溝に収納され、前記左右壁パネル間の隙間を壁パネルの裏面側から塞ぐシール部を有し、
前記連結用具は、前記左側フレーム及び右側フレームが表面側から裏面側に向って嵌め込まれ、両フレームの側面及び裏面を覆った状態で保持する断面略コ字状部を有する、壁パネルの結合構造において、
前記左側壁パネルに取付けられた左側フレームを前記連結用具の左側に嵌め込んだ後、前記左側フレームに、前記目地材のシール部の左側表面を、前記左側壁パネルに形成された凹溝に弾接させた状態で、前記目地材の取付基部を取付け、
前記右側壁パネルに取付けられた右側フレームを、前記シール部に非接触状態で、前記連結用具に表面側から裏面側に向かって差し込み、前記シール部の右側表面を、前記右側壁パネルに形成された凹溝に弾接させた状態で、前記連結用具の右側に嵌め込むことを特徴とする壁パネルの結合方法。
【請求項７】
建築物を構成する左右壁パネルの裏面に縦方向に延びるフレームがそれぞれ取付けられるとともに前記フレーム同士は連結用具によって連結され、前記左右壁パネル間の隙間を目地材で塞ぐ壁パネルの結合方法であって、
前記左側壁パネル側では、その左側壁パネルよりも左側壁パネルに取付けられた左側フレームの方が右側に突出し、
前記右側壁パネル側では、その右側壁パネルに取付けられた右側フレームよりも右側壁パネルの方が左側に突出し、
前記左右壁パネルの互いに隣接する裏面側角部を表面側に達することなく切り欠いて凹溝を形成し、
前記目地材は、前記左側フレームに取付けられ、左側フレームの右側端部から表面側左側に延びて前記凹溝にいたる延長部を有する取付基部と、その延長部の表面側に一体成形され前記凹溝に収納され、前記左右壁パネル間の隙間を壁パネルの裏面側から塞ぐシール部を有し、
前記連結用具は、前記左側フレーム及び右側フレームが表面側から裏面側に向って嵌め込まれ、両フレームの側面及び裏面を覆った状態で保持する断面略コ字状部を有する、壁パネルの結合構造において、
前記左側壁パネルに取付けられた左側フレームに、前記目地材のシール部の左側表面を、前記左側壁パネルに形成された凹溝に弾接させた状態で、前記目地材の取付基部を取付けた一体物を、前記連結用具の左側に嵌め込んだ後、
前記右側壁パネルに取付けられた右側フレームを、前記シール部に非接触状態で、前記連結用具に表面側から裏面側に向かって差し込み、前記シール部の右側表面を、前記右側壁パネルに形成された凹溝に弾接させた状態で、前記連結用具の右側に嵌め込むことを特徴とする壁パネルの結合方法。
【発明の詳細な説明】
【技術分野】
【０００１】
本発明は、建築物を構成する壁パネル間の隙間を目地材で塞ぐ壁パネルの結合構造及び壁パネルの結合方法に関するものである。
【背景技術】
【０００２】
従来、図７に示すような、隣り合う左右二つの壁パネル間の隙間を目地材で塞ぐタイプの結合構造が知られている（例えば特許文献１参照）。
これは、左側壁パネル１の裏面側に取付けられた左側フレーム３と、右側壁パネル２の裏面側に取付けられた右側フレーム４を、さらに裏面側から覆うように設けられた連結用具５で連結するとともに、左右壁パネル１，２間の隙間Ｓ１に目地材６が差し込まれたものである。
【０００３】
そして、このような壁パネル１，２は、図８に示すように、右側壁パネル２の裏面側に取付けられた右側フレーム４を連結用具５に固定した後、連結用具５の開口部に、左側壁パネル１の裏面側に取付けられた左側フレーム３を表面側から裏面側に向けて押し込むようにして嵌め込むことで左側フレーム３と右側フレームを連結させ、その後、表面側から目地材６を左右壁パネル１，２間の隙間Ｓ１と、左右フレーム３，４間の隙間Ｓ２に差し込むようにして連結されている。
これによれば、壁パネルの平面性を害することがなくパネル面に窪みが発生することを防止できる。
【先行技術文献】
【特許文献】
【０００４】
【特許文献１】特許第３９２２１５０号公報
【発明の概要】
【発明が解決しようとする課題】
【０００５】
しかしながら、従来例の発明によれば、最終的に目地材６は壁パネル１，２の表面側から差し込まれるため、外観面に凹凸が生じ易く見栄えが悪いといった問題がある。
そのような凹凸が生じた場合には、凹凸を直すために組み直しが必要になるので施工性が悪い。
また、目地材６を左右壁パネル１，２間の狭い隙間Ｓ１に対して差し込む際には、抵抗にさからって押し込む必要があるため、目地材６の嵌め込み具合を見ながら数回に分けて押し込む必要があり、施工性が悪い。
【０００６】
そこで、本発明の目的とするところは、施工性がよく施工後の見栄えもよい壁パネルの結合構造及び壁パネルの結合方法を提供することにある。
【課題を解決するための手段】
【０００７】
上記の目的を達成するために、本発明の壁パネルの結合構造は、建築物を構成する左右壁パネル（１１，１２）の裏面に縦方向に延びるフレーム（１３，１４）がそれぞれ取付けられるとともに前記フレーム（１３，１４）同士は連結用具（１５）によって連結され、前記左右壁パネル（１１，１２）間の隙間（Ｍ）を目地材（１６）で塞ぐ壁パネルの結合構造であって、
前記左側壁パネル（１１）側では、その左側壁パネル（１１）よりも左側壁パネル（１１）に取付けられた左側フレーム（１３）の方が右側に突出し、
前記右側壁パネル（１２）側では、その右側壁パネル（１２）に取付けられた右側フレーム（１４）よりも右側壁パネル（１２）の方が左側に突出し、
前記左右壁パネル（１１，１２）の互いに隣接する裏面側角部を表面側に達することなく切り欠いて凹溝（１７，１８）を形成し、
前記目地材（１６）は、前記左側フレーム（１３）に取付けられ、左側フレーム（１３）の右側端部から表面側左側に延びて前記凹溝（１７）にいたる延長部（１６Ｃ）を有する取付基部（１６Ａ）と、その延長部（１６Ｃ）の表面側に一体成形され前記凹溝（１７，１８）に収納され、前記左右壁パネル（１１，１２）間の隙間（Ｍ）を壁パネル（１１，１２）の裏面側から塞ぐシール部（１６Ｂ）を有することを特徴とする。
【０００８】
また本発明は、前記目地材（１６）のシール部（１６Ｂ）はその全体が、前記左側フレーム（１３）の右側端部よりも左側に配置するように、前記凹溝（１７，１８）に収納されることを特徴とする。
【０００９】
また本発明は、前記凹溝（１７，１８）は、前記壁パネル（１１，１２）の裏面側角度を略四半円状に切り欠いて形成されることを特徴とする。
【００１０】
また本発明は、前記目地材（１６）のシール部（１６Ｂ）は、前記左右壁パネル（１１，１２）間の隙間（Ｍ）から前記凹溝（１７，１８）にかけて空間が広がる部位において、前記隙間（Ｍ）の端部に形成される左右の角部（Ｐ，Ｑ）に局所的に弾接することを特徴とする。
【００１１】
また本発明は、前記連結用具（１５）は、前記左側フレーム（１３）及び右側フレーム（１４）が表面側から裏面側に向って嵌め込まれ、両フレーム（１３，１４）の側面及び裏面を覆った状態で保持する断面略コ字状部（１５Ａ）を有することを特徴とする。
【００１２】
また本発明の壁パネルの結合方法は、建築物を構成する左右壁パネル（１１，１２）の裏面に縦方向に延びるフレーム（１３，１４）がそれぞれ取付けられるとともに前記フレーム（１３，１４）同士は連結用具（１５）によって連結され、前記左右壁パネル（１１，１２）間の隙間（Ｍ）を目地材（１６）で塞ぐ壁パネルの結合方法であって、
前記左側壁パネル（１１）側では、その左側壁パネル（１１）よりも左側壁パネル（１１）に取付けられた左側フレーム（１３）の方が右側に突出し、
前記右側壁パネル（１２）側では、その右側壁パネル（１２）に取付けられた右側フレーム（１４）よりも右側壁パネル（１２）の方が左側に突出し、
前記左右壁パネル（１１，１２）の互いに隣接する裏面側角部を表面側に達することなく切り欠いて凹溝（１７，１８）を形成し、
前記目地材（１６）は、前記左側フレーム（１３）に取付けられ、左側フレーム（１３）の右側端部から表面側左側に延びて前記凹溝（１７）にいたる延長部（１６Ｃ）を有する取付基部（１６Ａ）と、その延長部（１６Ｃ）の表面側に一体成形され前記凹溝（１７）に収納され、前記左右壁パネル（１１，１２）間の隙間（Ｍ）を壁パネル（１１，１２）の裏面側から塞ぐシール部（１６Ｂ）を有し、
前記連結用具（１５）は、前記左側フレーム（１３）及び右側フレーム（１４）が表面側から裏面側に向って嵌め込まれ、両フレーム（１３，１４）の側面及び裏面を覆った状態で保持する断面略コ字状部（１５Ａ）を有する、壁パネルの結合構造において、
前記左側壁パネル（１１）に取付けられた左側フレーム（１３）を前記連結用具（１５）の左側に嵌め込んだ後、前記左側フレーム（１３）に、前記目地材（１６）のシール部（１６Ｂ）の左側表面を、前記左側壁パネル（１１）に形成された凹溝（１７）に弾接させた状態で、前記目地材（１６）の取付基部（１６Ａ）を取付け、
前記右側壁パネル（１２）に取付けられた右側フレーム（１４）を、前記シール部（１６Ｂ）に非接触状態で、前記連結用具（１５）に表面側から裏面側に向かって差し込み、前記シール部（１６Ｂ）の右側表面を、前記右側壁パネル（１２）に形成された凹溝（１８）に弾接させた状態で、前記連結用具（１５）の右側に嵌め込むことを特徴とする。
【００１３】
また本発明の壁パネルの結合方法は、建築物を構成する左右壁パネル（１１，１２）の裏面に縦方向に延びるフレーム（１３，１４）がそれぞれ取付けられるとともに前記フレーム（１３，１４）同士は連結用具（１５）によって連結され、前記左右壁パネル（１１，１２）間の隙間（Ｍ）を目地材（１６）で塞ぐ壁パネルの結合方法であって、
前記左側壁パネル（１１）側では、その左側壁パネル（１１）よりも左側壁パネル（１１）に取付けられた左側フレーム（１３）の方が右側に突出し、
前記右側壁パネル（１２）側では、その右側壁パネル（１２）に取付けられた右側フレーム（１４）よりも右側壁パネル（１２）の方が左側に突出し、
前記左右壁パネル（１１，１２）の互いに隣接する裏面側角部を表面側に達することなく切り欠いて凹溝（１７，１８）を形成し、
前記目地材（１６）は、前記左側フレーム（１３）に取付けられ、左側フレーム（１３）の右側端部から表面側左側に延びて前記凹溝（１７）にいたる延長部（１６Ｃ）を有する取付基部（１６Ａ）と、その延長部（１６Ｃ）の表面側に一体成形され前記凹溝（１７）に収納され、前記左右壁パネル（１１，１２）間の隙間（Ｍ）を壁パネル（１１，１２）の裏面側から塞ぐシール部（１６Ｂ）を有し、
前記連結用具（１５）は、前記左側フレーム（１３）及び右側フレーム（１４）が表面側から裏面側に向って嵌め込まれ、両フレーム（１３，１４）の側面及び裏面を覆った状態で保持する断面略コ字状部（１５Ａ）を有する、壁パネルの結合構造において、
前記左側壁パネル（１１）に取付けられた左側フレーム（１３）に、前記目地材（１６）のシール部（１６Ｂ）の左側表面を、前記左側壁パネル（１１）に形成された凹溝（１７）に弾接させた状態で、前記目地材（１６）の取付基部（１６Ａ）を取付けた一体物を、前記連結用具（１５）の左側に嵌め込んだ後、
前記右側壁パネル（１２）に取付けられた右側フレーム（１４）を、前記シール部（１６Ｂ）に非接触状態で、前記連結用具（１５）に表面側から裏面側に向かって差し込み、前記シール部（１６Ｂ）の右側表面を、前記右側壁パネル（１２）に形成された凹溝（１８）に弾接させた状態で、前記連結用具（１５）の右側に嵌め込むことを特徴とする。
【００１４】
なお、括弧内の記号は、図面および後述する発明を実施するための形態に記載された対応要素または対応事項を示す。
【発明の効果】
【００１５】
本発明によれば、目地材のシール部は、左右壁パネルに形成された凹溝に収納され、左右壁パネル間の隙間を裏面側から塞ぎ、目地材自体が左右壁パネルの表面側に露出しないので外観上の見栄えがよい。なお、シール部は中空であっても中実であってもよい。
【００１６】
また、目地材のシール部は、目地材の延長部の表面側に一体成形されたもので、その延長部は、左側フレームの右側端部から表面側左側に延びて凹溝にいたるものであるので、シール部は左右フレーム間の真中よりも左側に偏心した位置に設けられる。
仮に目地材のシール部が左右フレームの真中に位置していると、目地材が取付けられた左側フレームを連結用具に嵌め込んだ後に、右側パネルに取付けられた右側フレームを連結用具に嵌め込むとシール部に右側フレームが接触するため容易に嵌め込むことはできないが、本発明においては、シール部は左側に偏心した位置に設けられるため、左側フレームを連結用具に嵌め込んだ後に、右側パネルに取付けられた右側フレームを連結用具に容易に嵌め込むことができる。
【００１７】
特に、目地材のシール部の全体が、左側フレームの右側端部よりも左側に配置するように凹溝に収納した場合には、右側フレームを連結用具に嵌め込む際に右側フレームはシール部にまったく接触しないため、一層右側フレームの嵌め込みは容易なものとなり、施工性が向上する。
【００１８】
また、目地材のシール部は、左右壁パネル間の隙間から凹溝にかけて空間が広がる部位において、隙間の端部に形成される左右の角部に局所的に弾接するものであるので、シール部が単純に面に弾接する場合と比較してシール部にかかる応力が集中して優れたシール機能が発揮される。また、それら角部をシール部設置時の位置決めに使用することもできる。
【図面の簡単な説明】
【００１９】
【図１】本発明の実施形態に係る壁パネルの結合構造の要部を示す斜視図である。
【図２】本発明の実施形態に係る壁パネルの結合構造の要部を示す断面図である。
【図３】図２に示す壁パネルの結合方法を示す断面図である。
【図４】本発明の実施形態に係る別の壁パネルの結合構造の要部を示す断面図である。
【図５】図１に示す取付基部のシール部が壁パネルに弾接した状態を示す拡大断面図である。
【図６】目地材のシール部の位置を偏心させない場合の壁パネルの結合方法を示す断面図である。
【図７】従来例に係る壁パネルの結合構造の要部を示す平面図である。
【図８】図７に示す壁パネルの結合方法を示す平面図である。
【発明を実施するための形態】
【００２０】
図１及び図２を参照して、本発明の実施形態に係る壁パネルの結合構造について説明する。
この壁パネルの結合構造は、建築物を構成する左右壁パネル１１，１２の裏面に縦方向に延びるフレーム１３，１４がそれぞれ取付けられていて、左側フレーム１３と右側フレーム１４同士は連結用具１５によって連結されている。そして、左右壁パネル１１，１２間の隙間Ｍは目地材１６で塞がれている。
なお、壁パネル１１，１２は建築物内の空間を仕切る壁であればよく、内壁であっても外壁であってもよい。また、ここでは、隣接する壁パネル１１，１２について一方を左側壁パネル１１，他方を右側壁パネル１２と表面側からみて左側と右側に分けて表現するが、平面上方から見た場合の左側及び右側は、平面下方から見た場合には右側及び左側になるので左右逆方向のものも含まれる。
【００２１】
左右壁パネル１１，１２の互いに隣接する裏面側角部には、左右壁パネル１１，１２の表面側に達することなく切り欠くことによって凹溝１７，１８がそれぞれ形成されている。
より具体的には、凹溝１７，１８は、壁パネル１１，１２の裏面側角度を略四半円状（円を四等分にした形状のもの）に切り欠いて形成されていて、その略四半円状の大きさは、左右壁パネル１１，１２の厚み（表裏方向の板厚）を半分にした距離を半径としたものである。
【００２２】
左右フレーム１３，１４は、角筒形で上下に棒状に延びている。また、左右フレーム１３，１４の外側の側面、すなわち、左フレーム１３の左側面及び右フレーム１４の右側面には、凹部１３ａ，１４ａが形成されている。相対向する側面、すなわち、左フレーム１３の右側面及び右フレーム１４の左側面は平担面にされている。
【００２３】
連結用具１５は、左右フレーム１３，１４の側面及び裏面を覆った状態で保持する断面略コ字状部１５Ａを有している。その断面略コ字状部１５Ａの両端部には、内側に向かって突出する突条部１５Ａａ，１５Ａｂが形成され、断面略コ字状部１５Ａの開口部から、すなわち、左右フレーム１３，１４が表面側から裏面側に向って嵌め込まれると、弾性によって断面略コ字状部１５Ａの両端部がそれぞれ外側に向かって押し開かれ、突条部１５Ａａは凹部１３ａに，突条部１５Ａｂは凹部１４ａに嵌め込まれて係止されるようになっている。
また、連結用具１５の裏面側には、さらに裏面側に向かって張り出し、ネジ１９の頭部を収納する張出部１５Ｂが設けられている。張出部１５Ｂには、長手方向に向かって所定間隔で穴が形成され、その穴にネジ１９が表面側から差し込まれる。そして、連結用具１５よりもさらに裏面側に配置された躯体に対してネジ１９で螺子止めされることで固定されるようになっている。なお、断面略コ字状部１５Ａと張出部１５Ｂは一連一体的に構成されているが、別体で構成することもできる。
【００２４】
目地材１６は、取付基部１６Ａとシール部１６Ｂからなる。
目地材１６の取付基部１６Ａは、略Ｌ字状に延びるもので、一端面側はクリップＣを介して左側フレーム１３の右側面に固定されている。左側フレーム１３の右側面には、所定間隔でクリップＣを圧入させるための穴が形成されている。取付基部１６Ａの一端面は、左側フレーム１３の右側面に平行で面同士が接触する状態で、取付基部１６Ａは左側フレーム１３に固定される。
これに対して、取付基部１６Ａの他端面側は、取付基部１６Ａが左側フレーム１３に取付けられたとき、左側フレーム１３の右側端部から表面側左側に延びて凹溝１７にいたる延長部１６Ｃとなっている。
【００２５】
左側フレーム１３に対する取付基部１６Ａの固定は、クリップＣにかえて、あるいはクリップＣとともに両面テープＴを使用することもできる。
なお、目地材１６の取付基部１６Ａの材質は、安定した状態で左側フレーム１３に固定されるものが好ましく、シール部１６Ｂの材質は、シール機能を向上させるものが好ましい。ここでは、取付基部１６ＡをＥＰＤＭソリッドゴム製とし、シール部１６ＢをＥＰＤＭスポンジゴム製とした。目地材１６の材質は、上記の様にＥＰＤＭとしたが、樹脂製又はゴム製であることが好ましい。しかしながらこれらの材質に限定されるものではない。
【００２６】
目地材１６のシール部１６Ｂは、断面形状の外殻が円形をした中空形状で、取付基部１６Ａを構成する延長部１６Ｃの表面側に一体成形され、左側壁パネル１１に形成された凹溝１７に収納されるようになっている。
シール部１６Ｂは、連結用具１５によって左右フレーム１３，１４が連結されたときに、左右壁パネル１１，１２間の隙間Ｍを両壁パネル１１，１２の裏面側から塞ぐようになっている。
【００２７】
そして、図２に示すように、左側壁パネル１１側では、その左側壁パネル１１よりも左側壁パネル１１に取付けられた左側フレーム１３の方が右側に、距離Ｌ分、突出するように、左側壁パネル１１に対して左側フレーム１３は取付けられている。
これに対して、右側壁パネル１２側では、その右側壁パネル１２に取付けられた右側フレーム１４よりも右側壁パネル１２の方が左側に、距離Ｌ分、突出するように、右側壁パネル１２に対して右側フレーム１４は取付けられている。
【００２８】
この距離Ｌは、左側壁パネル１１に形成された凹溝１７に取付基部１６のシール部１６Ｂが収納された際に、シール部１６Ｂが左側フレーム１３の右側面から右側にはみ出さない程度の距離に設定している。すなわち、シール部１６Ｂはその全体が、左側フレーム１３の右側面よりも左側に配置されるようにして凹溝１７，１８内に収納されている。
【００２９】
なお、ここでは、シール部１６Ｂの全体が、左側フレーム１３の右側面よりも左側に配置されるように距離Ｌを設定したが、シール部１６Ｂの全体が左側フレーム１３に取付けられた目地材１６の取付基部１６Ａの右側面よりも左側に配置されるように距離Ｌを設定してもよく、さらには、目地材１６を左側フレーム１３に固定するクリップＣの頭部の右側面よりも左側にシール部１６Ｂの全体が配置されるように距離Ｌを設定することもできる。
【００３０】
このような壁パネルの結合構造において、壁パネル１１，１２を結合する方法としては、先ず、図３（ａ）に示すように、左側壁パネル１１に取付けられた左側フレーム１３を連結用具１５の左側に嵌め込んだ後、左側フレーム１３に、目地材１６のシール部１６Ｂの左側表面を、左側壁パネル１１に形成された凹溝１７に弾接させた状態で、目地材１６の取付基部１６Ａを取付ける。連結用具１５の突条部１５Ａａは、左側フレーム１３の左側面に形成された凹部１３ａに係止される。
これにより、目地材１６のシール部１６Ｂの左側表面は、左側壁パネル１１の右側面から凹溝１７にかけて空間が広がる部位の角部Ｐに局所的に弾接させられる。
【００３１】
次に、図３（ｂ）に示すように、右側壁パネル１２に取付けられた右側フレーム１４を、連結用具１５に表面側から裏面側に向かって真っ直ぐに差し込み、シール部１６Ｂの右側表面を、右側壁パネル１２に形成された凹溝１８に弾接させた状態で、連結用具１５の右側に嵌め込む。
このとき、シール部１６Ｂは、左右フレーム１３，１４の真中ではなく、左側に偏心させた位置に配置され、シール部１６Ｂが左側フレーム１３の右側面から右側にはみ出さないようにされているので、右側壁パネル１２に取付けられた右側フレーム１４を連結用具１５に差し込む際に、右側フレーム１４がシール部１６Ｂに接触しないようにしている。
よって、左右壁パネル１１，１２の結合を容易に行うことができ、しかもシール部１６Ｂを破損させることもない。
【００３２】
また、右側フレーム１４が連結用具１５の突条部１５Ａｂに当接すると突条部１５Ａｂは外方（右側）に弾性により広がり、右側フレーム１４の右側面に形成された凹部１４ａに対向する位置になると突条部１５Ａｂは弾性によって押し戻され凹部１４ａに嵌め込まれて係止される。右側フレーム１４の左側面は、図２に示すように、左側フレーム１３に固定されたクリップＣの頭部に接した状態で、右側フレーム１４は連結用具１５に嵌め込まれる。
これにより、目地材１６のシール部１６Ｂの右側表面は、右側壁パネル１２の左側面から凹溝，１８にかけて空間が広がる部位の角部Ｑに局所的に弾接させられる。
【００３３】
なお、クリップＣにかえて両面テープＴを使用した場合には、図４に示すように、右側フレーム１４の左側面は、左側フレーム１３に固定された目地材１６の取付基部１６Ａに接した状態で、右側フレーム１４は連結用具１５に嵌め込まれる。
【００３４】
左右壁パネル１１，１２の結合が施工されると、目地材１６のシール部１６Ｂは、凹溝１７，１８に収納され、左右壁パネル１１，１２間の隙間Ｍを左右壁パネル１１，１２の裏面側から塞ぐようになっている。
これによれば、目地材１６自体が左右壁パネル１１，１２の表面側に露出しないので外観上の見栄えがよい。
また、図５に示すように、目地材１６のシール部１６Ｂは、左右壁パネル１１，１２間の隙間Ｍから凹溝１７，１８にかけて空間が広がる部位において、隙間Ｍの端部に形成される左右の角部Ｐ，Ｑに局所的に弾接するものであるので、シール部１６Ｂが単純に面に弾接する場合と比較してシール部１６Ｂにかかる応力が集中して優れたシール機能が発揮される。角部Ｐ，Ｑをシール部１６Ｂ設置時の位置決めに使用することもできる。
【００３５】
ここで、本実施形態の発明（図１〜図４）のように、目地材１６のシール部１６Ｂの位置を偏心させた場合と比較するため、図６に目地材１６のシール部１６Ｂの位置を偏心させない場合、すなわち左右フレーム１３，１４の真中にシール部１６Ｂを位置させたものを示した。
【００３６】
図６に示すように、左右フレーム１３，１４の真中にシール部１６Ｂが位置したものは、シール部１６Ｂが左フレーム１３の右側面よりも右側に突出したものになるため、最終的に右フレーム１４を連結用具１５に差し込みときに右フレーム１４がシール部１６Ｂに接触して容易に嵌め込むことができないといった問題があるが、シール部１６Ｂが左フレーム１３の右側面よりも右側に突出しないように偏心させたものでは嵌め込み時に右フレーム１４がシール部１６Ｂに干渉することがないので簡易に嵌め込むことができる。また、右フレーム１４の嵌め込み時にシール部１６Ｂを破損させることもない。
【００３７】
なお、本実施形態では、壁パネル１１，１２の裏面側角度を略四半円状に切り欠いて凹溝１７，１８を形成したが、シール部１６Ｂが偏心された状態で収納されるものであればよく、切り欠き形状は他の形状であってもよい。
また、連結用具１５の形状も特に限定されるものではない。
【００３８】
また、結合時において、本実施形態では、左側壁パネル１１に取付けられた左側フレーム１３を連結用具１５の左側に嵌め込んだ後、左側フレーム１３に、目地材１６を取付けるようにしたが、左側壁パネル１１に取付けられた左側フレーム１３に、目地材１６を取付けた一体物を、連結用具１５の左側に嵌め込むようにしてもよい。
【００３９】
また、本実施形態では、シール部１６Ｂを左側に偏心させて左側フレーム１３の右側面から右側に突出しないようにすることで、右側壁パネル１２に固定された右側フレーム１４を連結用具１５に表面側から嵌め込む際にシール部１６Ｂに対して右側フレーム１４がまったく干渉しないようにして円滑に施工できるようにしたが、シール部１６Ｂを両フレーム１３，１４の真中より左側に少しでも位置するように偏心させたものは、嵌め込み時に右側フレーム１４が多少接触するものであっても、両フレーム１３，１４の真中に位置させた場合と比較して右側フレーム１４の嵌め込みを容易にすることができる。
さらに、本実施形態では、左側壁パネル１１よりも右側フレーム１３を右側に距離Ｌ分、そして、右側フレーム１４よりも右側壁パネル１２の方を左側に同じく距離Ｌ分、突出するようにして、シール部１６Ｂに対して右側フレーム１４がまったく干渉しない、あるいは多少干渉しても嵌め込みに支障のないようにしたが、干渉しないか干渉を少なく抑えられるなら左側壁パネル１１に対する右側フレーム１３の突出量と、右側フレーム１４に対する右側壁パネル１２の突出量を異なる距離に設定してもよい。
【００４０】
また、本実施形態では、シール部１６Ｂとして中空形状のものを使用したが、十分な可撓性を有し、シール性能に優れるものであれば中実のものであってもよい。
【符号の説明】
【００４１】
１      左側壁パネル
２      右側壁パネル
３      左側フレーム
４      右側フレーム
５      連結用具
６      目地材
１１      左側壁パネル
１２      右側壁パネル
１３      左側フレーム
１３ａ    凹部
１４      右側フレーム
１４ａ    凹部
１５      連結用具
１５Ａ    断面略コ字状部
１５Ａａ  突条部
１５Ａｂ  突条部
１５Ｂ    張出部
１６      目地材
１６Ａ    取付基部
１６Ｂ    シール部
１６Ｃ    延長部
１７      凹溝
１８      凹溝
１９      ネジ
Ｃ      クリップ
Ｍ      隙間
Ｐ      角部
Ｑ      角部
Ｓ１    隙間
Ｓ２    隙間
Ｔ      両面テープ
【図１】
2018193694.tif 000003
【図２】
2018193694.tif 000004
【図３】
2018193694.tif 000005
【図４】
2018193694.tif 000006
【図５】
2018193694.tif 000007
【図６】
2018193694.tif 000008
【図７】
2018193694.tif 000009
【図８】
2018193694.tif 000010